(57)【要約】【課題】  ユーザにハイライトシーンの内容を把握させた上で、ユーザによって選択されたハイライトシーンを録画コンテンツ再生装置に再生させることができる携帯端末装置を提供する。【解決手段】  携帯端末装置１０は、録画されたテレビ番組を再生可能な映像表示装置３を制御可能であり、テレビ番組ごとに該テレビ番組で紹介された商品等に関する商品情報と、その商品等が紹介された時刻情報とを関連付けて記憶するサーバ装置２０から、映像表示装置３に保存されているテレビ番組の商品情報および時刻情報を取得する番組関連情報取得部５１と、取得された商品情報を、テレビ番組に表示する表示部１１と、表示部に表示された商品情報を選択するためのＵＩ部１２と、ＵＩ部１２によって商品情報が選択されると、その商品情報に対応するテレビ番組を、その商品情報に関連付けられている時刻情報が示す時刻に対応する場面から再生させるレコーダ制御部５３とを含む。【選択図】      図３
2014027635.tif 000002
【特許請求の範囲】
【請求項１】
保存された映像コンテンツを再生可能な録画コンテンツ再生装置から、映像コンテンツを識別するためのコンテンツ識別情報を取得可能であり、当該録画コンテンツ再生装置を制御可能な携帯端末装置であって、
映像コンテンツに関連する映像コンテンツ関連情報と、当該映像コンテンツの再生位置を示す時刻情報とを関連付けて記憶するサーバ装置に対して、前記コンテンツ識別情報を送信し、当該コンテンツ識別情報に一致する映像コンテンツの映像コンテンツ関連情報および時刻情報を取得する映像コンテンツ関連情報取得手段と、
前記映像コンテンツ関連情報取得手段によって取得された映像コンテンツ関連情報を、映像コンテンツごとに表示する表示手段と、
前記表示手段に表示される映像コンテンツ関連情報の中から一の映像コンテンツ関連情報を選択するための選択手段と、
前記選択手段によって一の映像コンテンツ関連情報が選択されると、該一の映像コンテンツ関連情報に対応する映像コンテンツを、該一の映像コンテンツ関連情報に関連付けられている時刻情報が示す時刻に対応する場面から再生させるための制御信号を、前記録画コンテンツ再生装置に出力する制御信号出力手段とを含むことを特徴とする携帯端末装置。
【請求項２】
前記コンテンツ識別情報は、映像コンテンツが放送された放送局の識別情報と、当該映像コンテンツが放送開始された時刻との組であることを特徴とする請求項１記載の携帯端末装置。
【請求項３】
前記表示手段は、前記映像コンテンツ関連情報を、前記時刻情報に基づいて、当該映像コンテンツ関連情報に対応する映像コンテンツの放送時間を示す時間軸に対応付けて表示することを特徴とする請求項１または請求項２記載の携帯端末装置。
【請求項４】
各放送チャンネルで放送された映像コンテンツごとに、該映像コンテンツの放送時間を予め定める時間間隔で分割した各分割時間における、該映像コンテンツに対する盛上りの度合を示す盛上り情報を記憶するサーバ装置から、前記録画コンテンツ再生装置に保存されている映像コンテンツの盛上り情報を取得する盛上り情報取得手段をさらに含み、
前記表示手段は、前記盛上り情報取得手段によって取得された盛上り情報を、前記時間軸に対応付けて表示することを特徴とする請求項３記載の携帯端末装置。
【請求項５】
前記各分割時間における盛上りの度合は、当該分割時間において投稿された当該映像コンテンツに関するミニブログの投稿数から算出されることを特徴とする請求項４記載の携帯端末装置。
【請求項６】
前記表示手段に表示された時間軸は、前記選択手段によって該時間軸上の任意の時刻を選択可能であり、
前記制御信号出力手段は、前記選択手段によって前記時間軸上の任意の時刻が選択されると、当該時間軸に対応する映像コンテンツを、前記選択手段によって選択された時刻に対応する場面から再生させるための制御信号を、前記録画コンテンツ再生装置に出力することを特徴とする請求項３〜５のいずれか１つに記載の携帯端末装置。
【請求項７】
前記表示手段は、前記映像コンテンツ関連情報とともに、当該映像コンテンツ関連情報に対応する映像コンテンツに含まれるタイトル情報を表示することを特徴とする請求項１〜６のいずれか１つに記載の携帯端末装置。
【請求項８】
予め定めるサーバ装置にログインするためのログイン情報を記憶するログイン情報記憶
手段と、
ログイン情報記憶手段に記憶されるログイン情報を用いて、前記予め定めるサーバ装置から、当該ログイン情報に係るユーザのユーザ情報を取得するユーザ情報取得手段とをさらに含み、
前記映像コンテンツ関連情報取得手段は、前記ユーザ情報取得手段によって取得されたユーザ情報に基づいて、当該ユーザに応じた映像コンテンツ関連情報を取得することを特徴とする請求項１〜７のいずれか１つに記載の携帯端末装置。
【請求項９】
通信ネットワークを介して互いに通信可能な携帯端末装置とサーバ装置とによって構成されてなる情報通信システムであって、
前記サーバ装置は、
映像コンテンツに関連する映像コンテンツ関連情報と、当該映像コンテンツの再生位置を示す時刻情報とを関連付けて記憶する映像コンテンツ関連情報記憶手段と、
前記携帯端末装置から受信したコンテンツ識別情報に一致する映像コンテンツについて、前記映像コンテンツ関連情報記憶手段に記憶される映像コンテンツ関連情報および時刻情報を前記携帯端末装置に送信する映像コンテンツ関連情報送信手段とを含み、
前記携帯端末装置は、保存された映像コンテンツを再生可能な録画コンテンツ再生装置から、映像コンテンツを識別するためのコンテンツ識別情報を取得可能であり、当該録画コンテンツ再生装置を制御可能であって、
前記録画コンテンツ再生装置に保存されている映像コンテンツの映像コンテンツ関連情報を要求する要求信号に録画コンテンツ再生装置から取得したコンテンツ識別情報を含めて前記サーバ装置へ送信する要求信号送信手段と、
前記要求信号送信手段によって送信される要求信号に応答して前記映像コンテンツ関連情報送信手段から送信される、前記要求信号に含まれるコンテンツ識別情報に一致する映像コンテンツについての映像コンテンツ関連情報および時刻情報を取得する映像コンテンツ関連情報取得手段と、
前記映像コンテンツ関連情報取得手段によって取得された映像コンテンツ関連情報を、映像コンテンツごとに表示する表示手段と、
前記表示手段に表示される映像コンテンツ関連情報の中から一の映像コンテンツ関連情報を選択するための選択手段と、
前記選択手段によって一の映像コンテンツ関連情報が選択されると、該一の映像コンテンツ関連情報に対応する映像コンテンツを、該一の映像コンテンツ関連情報に関連付けられている時刻情報が示す時刻に対応する場面から再生させるための制御信号を、前記録画コンテンツ再生装置に出力する制御信号出力手段とを含むことを特徴とする情報通信システム。
【請求項１０】
前記映像コンテンツ関連情報は、該映像コンテンツ関連情報に対応する映像コンテンツにおいて登場する商品、施設、人物、キャラクターおよび場所のうちのいずれかに関する情報であり、
前記時刻情報は、該映像コンテンツ関連情報が、当該映像コンテンツにおいて登場した時刻であることを特徴とする請求項９記載の情報通信システム。
【請求項１１】
前記映像コンテンツ関連情報は、予め定める投稿者によって投稿された当該映像コンテンツ関連情報に対応する映像コンテンツに関するミニブログの投稿メッセージであり、
前記時刻情報は、該映像コンテンツ関連情報が投稿された時刻であることを特徴とする請求項９記載の情報通信システム。
【発明の詳細な説明】
【技術分野】
【０００１】
本発明は、映像コンテンツを録画し、録画された映像コンテンツを再生する録画コンテンツ再生装置を制御可能な携帯端末装置、および通信ネットワークを介して互いに通信可能な携帯端末装置とサーバ装置とによって構成されてなる情報通信システムに関する。
【背景技術】
【０００２】
近年、各放送チャンネルで放送されている全てのテレビ番組を録画する、いわゆる「全録」機能を有する録画装置が普及している。ユーザは、このような録画装置を利用して、指定した期間に全てのチャンネルで放送されたテレビ番組を録画し、後から、録画した複数のテレビ番組の中から視聴したいテレビ番組を選択して視聴するということが可能になっている。
【０００３】
しかしながら、一方で、ユーザにとっては、テレビ番組を視聴する時間には限りがあるため、このように多くのテレビ番組を録画していくと、未視聴のまま保存されているテレビ番組の数が増加し、保存されている全てのテレビ番組を視聴するのが困難な状況になりがちである。そこで、こういった状況を解消するために、録画されて保存されているテレビ番組を視聴する際、番組の開始から終了まで通して視聴するのではなく、そのテレビ番組のハイライトシーンだけを視聴したいという要望がある。
【０００４】
このような課題を解決する従来技術に係る方法が、たとえば特許文献１，２に開示されている。
【０００５】
特許文献１には、ニコニコ動画（登録商標）のように、映像コンテンツの再生に連動して、その映像コンテンツに対して複数のユーザによって投稿された字幕コメントなどの追加データを、制御情報に記述された再生開始時刻および再生終了時刻、ならびに表示位置などに基づいて再生する映像コンテンツ再生装置において、映像コンテンツの中から、単位時間当たりに多くの追加データが集中しているシーンを抽出し、たとえばリモコンに設けられたスキップ再生のボタンをユーザが押下することによって、これらの抽出したシーンだけを順次再生する技術が開示されている。
【０００６】
また特許文献２には、録画された映像コンテンツについて、各シーンにおける音声のパワーに基づいて各シーンをランク付けし、ランクが上位のシーンだけを順次再生する技術が開示されている。
【先行技術文献】
【特許文献】
【０００７】
【特許文献１】特開２０１０−１０７３６号公報
【特許文献２】特開２００８−１９３２７０号公報
【発明の概要】
【発明が解決しようとする課題】
【０００８】
上記特許文献１に開示される技術によれば、ユーザは、多くの人が興味を持ったあるいは注目したシーンだけを再生して視聴することができる。また、特許文献２に開示される技術によれば、ユーザは、予め定める基準に従って高い重要度が設定されたシーンだけを再生して視聴することができる。
【０００９】
しかしながら、いずれの技術においても、ユーザは、映像コンテンツにおいてどのよう
な内容のハイライトシーンが抽出されたのかを把握することができず、自動的に抽出されたハイライトシーンを、順次視聴しなければならない。このため、ユーザは、自身にとってあまり重要でないハイライトシーンについても視聴せざるを得ず、ユーザにとって利便性がよくないという問題がある。
【００１０】
本発明の目的は、映像コンテンツを録画し、録画された映像コンテンツを再生する録画コンテンツ再生装置を制御可能な携帯端末装置であって、ユーザにハイライトシーンの内容を把握させた上で、ユーザによって選択されたハイライトシーンを録画コンテンツ再生装置に再生させることができる携帯端末装置、およびその携帯端末装置とサーバ装置とによって構成されてなる情報通信システムを提供することである。
【課題を解決するための手段】
【００１１】
本発明は、保存された映像コンテンツを再生可能な録画コンテンツ再生装置から、映像コンテンツを識別するためのコンテンツ識別情報を取得可能であり、当該録画コンテンツ再生装置を制御可能な携帯端末装置であって、
映像コンテンツに関連する映像コンテンツ関連情報と、当該映像コンテンツの再生位置を示す時刻情報とを関連付けて記憶するサーバ装置に対して、前記コンテンツ識別情報を送信し、当該コンテンツ識別情報に一致する映像コンテンツの映像コンテンツ関連情報および時刻情報を取得する映像コンテンツ関連情報取得手段と、
前記映像コンテンツ関連情報取得手段によって取得された映像コンテンツ関連情報を、映像コンテンツごとに表示する表示手段と、
前記表示手段に表示される映像コンテンツ関連情報の中から一の映像コンテンツ関連情報を選択するための選択手段と、
前記選択手段によって一の映像コンテンツ関連情報が選択されると、該一の映像コンテンツ関連情報に対応する映像コンテンツを、該一の映像コンテンツ関連情報に関連付けられている時刻情報が示す時刻に対応する場面から再生させるための制御信号を、前記録画コンテンツ再生装置に出力する制御信号出力手段とを含むことを特徴とする携帯端末装置である。
【００１２】
また本発明は、前記コンテンツ識別情報は、映像コンテンツが放送された放送局の識別情報と、当該映像コンテンツが放送開始された時刻との組であることを特徴とする。
【００１３】
また本発明は、前記表示手段は、前記映像コンテンツ関連情報を、前記時刻情報に基づいて、当該映像コンテンツ関連情報に対応する映像コンテンツの放送時間を示す時間軸に対応付けて表示することを特徴とする。
【００１４】
また本発明は、各放送チャンネルで放送された映像コンテンツごとに、該映像コンテンツの放送時間を予め定める時間間隔で分割した各分割時間における、該映像コンテンツに対する盛上りの度合を示す盛上り情報を記憶するサーバ装置から、前記録画コンテンツ再生装置に保存されている映像コンテンツの盛上り情報を取得する盛上り情報取得手段をさらに含み、
前記表示手段は、前記盛上り情報取得手段によって取得された盛上り情報を、前記時間軸に対応付けて表示することを特徴とする。
【００１５】
また本発明は、前記各分割時間における盛上りの度合は、当該分割時間において投稿された当該映像コンテンツに関するミニブログの投稿数から算出されることを特徴とする。
また本発明は、前記表示手段に表示された時間軸は、前記選択手段によって該時間軸上の任意の時刻を選択可能であり、
前記制御信号出力手段は、前記選択手段によって前記時間軸上の任意の時刻が選択されると、当該時間軸に対応する映像コンテンツを、前記選択手段によって選択された時刻に
対応する場面から再生させるための制御信号を、前記録画コンテンツ再生装置に出力することを特徴とする。
【００１６】
また本発明は、前記表示手段は、前記映像コンテンツ関連情報とともに、当該映像コンテンツ関連情報に対応する映像コンテンツに含まれるタイトル情報を表示することを特徴とする。
【００１７】
また本発明は、予め定めるサーバ装置にログインするためのログイン情報を記憶するログイン情報記憶手段と、
ログイン情報記憶手段に記憶されるログイン情報を用いて、前記予め定めるサーバ装置から、当該ログイン情報に係るユーザのユーザ情報を取得するユーザ情報取得手段とをさらに含み、
前記映像コンテンツ関連情報取得手段は、前記ユーザ情報取得手段によって取得されたユーザ情報に基づいて、当該ユーザに応じた映像コンテンツ関連情報を取得することを特徴とする。
【００１８】
また本発明は、通信ネットワークを介して互いに通信可能な携帯端末装置とサーバ装置とによって構成されてなる情報通信システムであって、
前記サーバ装置は、
映像コンテンツに関連する映像コンテンツ関連情報と、当該映像コンテンツの再生位置を示す時刻情報とを関連付けて記憶する映像コンテンツ関連情報記憶手段と、
前記携帯端末装置から受信したコンテンツ識別情報に一致する映像コンテンツについて、前記映像コンテンツ関連情報記憶手段に記憶される映像コンテンツ関連情報および時刻情報を前記携帯端末装置に送信する映像コンテンツ関連情報送信手段とを含み、
前記携帯端末装置は、保存された映像コンテンツを再生可能な録画コンテンツ再生装置から、映像コンテンツを識別するためのコンテンツ識別情報を取得可能であり、当該録画コンテンツ再生装置を制御可能であって、
前記録画コンテンツ再生装置に保存されている映像コンテンツの映像コンテンツ関連情報を要求する要求信号に録画コンテンツ再生装置から取得したコンテンツ識別情報を含めて前記サーバ装置へ送信する要求信号送信手段と、
前記要求信号送信手段によって送信される要求信号に応答して前記映像コンテンツ関連情報送信手段から送信される、前記要求信号に含まれるコンテンツ識別情報に一致する映像コンテンツについての映像コンテンツ関連情報および時刻情報を取得する映像コンテンツ関連情報取得手段と、
前記映像コンテンツ関連情報取得手段によって取得された映像コンテンツ関連情報を、映像コンテンツごとに表示する表示手段と、
前記表示手段に表示される映像コンテンツ関連情報の中から一の映像コンテンツ関連情報を選択するための選択手段と、
前記選択手段によって一の映像コンテンツ関連情報が選択されると、該一の映像コンテンツ関連情報に対応する映像コンテンツを、該一の映像コンテンツ関連情報に関連付けられている時刻情報が示す時刻に対応する場面から再生させるための制御信号を、前記録画コンテンツ再生装置に出力する制御信号出力手段とを含むことを特徴とする情報通信システムである。
【００１９】
また本発明は、前記映像コンテンツ関連情報は、該映像コンテンツ関連情報に対応する映像コンテンツにおいて登場する商品、施設、人物、キャラクターおよび場所のうちのいずれかに関する情報であり、
前記時刻情報は、該映像コンテンツ関連情報が、当該映像コンテンツにおいて登場した時刻であることを特徴とする。
【００２０】
また本発明は、前記映像コンテンツ関連情報は、予め定める投稿者によって投稿された当該映像コンテンツ関連情報に対応する映像コンテンツに関するミニブログの投稿メッセージであり、
前記時刻情報は、該映像コンテンツ関連情報が投稿された時刻であることを特徴とする。
【発明の効果】
【００２１】
本発明によれば、ユーザにハイライトシーンの内容を把握させた上で、ユーザによって選択されたハイライトシーンを録画コンテンツ再生装置に再生させることができる。
【図面の簡単な説明】
【００２２】
【図１】本発明の一実施形態に係る情報通信システム１の概略的な構成を示す概略構成図である。
【図２】本発明の一実施形態に係る携帯端末装置１０の外観を示す平面図である。
【図３】本発明の一実施形態に係る情報通信システム１を構成する携帯端末装置１０およびサーバ装置２０、ならびに映像表示装置３の構成の一実施例を示すブロック図である。
【図４】本実施形態に係る携帯端末装置１０を用いて映像表示装置３を遠隔操作する際の、表示部１１に表示される画面の遷移の一実施例を示す図である。
【図５】他の実施例に係る商品リスト画面Ｄ５を示す図である。
【図６】本実施形態に係る携帯端末装置１０を用いて映像表示装置３を遠隔操作する際の、表示部１１に表示される画面の遷移の他の実施例を示す図である。
【図７】本実施形態に係る携帯端末装置１０を用いて映像表示装置３を遠隔操作する際の、表示部１１に表示される画面の遷移のさらに他の実施例を示す図である。
【図８】他の実施例に係る商品リスト画面Ｄ９を示す図である。
【図９】さらに他の実施例に係る商品リスト画面Ｄ１０を示す図である。
【図１０】さらに他の実施例に係るミニブログリスト画面Ｄ１１を示す図である。
【図１１】さらに他の実施例に係るミニブログリスト画面Ｄ１２を示す図である。
【図１２】さらに他の実施例に係るミニブログリスト画面Ｄ１３を示す図である。
【発明を実施するための形態】
【００２３】
図１は、本発明の一実施形態に係る情報通信システム１の概略的な構成を示す概略構成図である。本実施形態に係る情報通信システム１は、通信ネットワーク２を介して互いに通信可能な携帯端末装置１０とサーバ装置２０とを含んで構成される。
【００２４】
図２は、本発明の一実施形態に係る携帯端末装置１０の外観を示す平面図である。本実施形態に係る携帯端末装置１０は、通信ネットワーク２を介してサーバ装置２０と通信可能に構成され、さらに、録画されたテレビ番組を保存し、かつ保存されたテレビ番組を再生可能な映像表示装置３（録画コンテンツ再生装置）を遠隔制御可能に構成される。
【００２５】
携帯端末装置１０は、画像を表示可能な表示部１１と、制御部１３に対し指令やデータを入力するための操作を受け付け、ユーザによる操作を受け付けると、その操作に対応した指令信号や入力データを制御部１３へ出力するＵＩ（User Interface）部１２と、フラッシュメモリおよびＨＤＤ（Hard Disk Drive）などによって実現され、各種プログラム
やデータが記憶される記憶装置と、ＣＰＵ（Central Processing Unit）、ＲＯＭ（Read Only Memory）およびＲＡＭ（Random Access Memory）などを備え、ＲＯＭや記憶装置に
記憶される各種プログラムに従って携帯端末装置１０全体の制御を行う制御部１３（図３参照）と、通信部１４（図３参照）とを含んで構成される。
【００２６】
本実施形態では、記憶装置には、映像表示装置３を遠隔操作する機能を実現させるため
のアプリケーションプログラムが記憶されている。表示部１１は、たとえば液晶パネルおよびバックライトユニットを備える液晶ディスプレイや、有機ＥＬ（Electroluminescence）ディスプレイなどによって実現される。また、ＵＩ部１２は、本実施形態では、表示
部１１における画像の表示領域に対するタッチ入力を検出可能なタッチパネル１２ａによって実現される。
【００２７】
また、通信部１４は、映像表示装置３と近距離無線通信によって通信を行うための通信インターフェイスとして機能する。携帯端末装置１０と映像表示装置３との通信は、本実施形態では、ＩＥＥＥ８０２．１１規格等の無線ＬＡＮ（Local Area Network）を利用して行われる。他の実施形態では、赤外線を用いた通信であってもよく、Ｂｌｕｅｔｏｏｔｈ（登録商標）およびＺｉｇｂｅｅ（登録商標）などの無線通信規格に基づく通信であってもよい。
【００２８】
さらに、通信部１４は、通信制御部とアンテナとを含んで構成される。通信制御部は、アンテナを介して、携帯電話基地局との間で無線通信を行い、電話機能を備える他の端末との音声通話を実現させる。また、通信制御部は、携帯電話網およびインターネットを含む通信ネットワーク２を介して、サーバ装置２０との間でデータ通信を実現させる。
【００２９】
サーバ装置２０との通信は、図示しない無線ＬＡＮルータを介して行ってもよい。この場合、無線ＬＡＮルータがＦＴＴＨ等によりインターネットに接続され、無線ＬＡＮルータが携帯端末装置１０のインターネットとの通信を中継することになる。この場合、映像表示装置も無線ＬＡＮルータに接続され、携帯端末装置１０と映像表示装置の通信も無線ＬＡＮルータを経由して行われる事になる。
【００３０】
本実施形態では、携帯端末装置１０として、スマートフォンを想定しているが、これに限定されることはなく、他の実施形態では、たとえばスマートフォンではない従来の携帯電話装置（フィーチャーフォン）や、ＰＤＡ（Personal Digital Assistant）のように電話機能を備えていない端末装置によって実現されてもよい。
【００３１】
図３は、本発明の一実施形態に係る情報通信システム１を構成する携帯端末装置１０およびサーバ装置２０、ならびに映像表示装置３の構成の一実施例を示すブロック図である。
【００３２】
先ず、映像表示装置３の構成について説明する。
映像表示装置３は、画像を表示可能な表示部３１と、番組受信部３２と、通信部３３と、映像表示装置３全体の制御を行う制御部３４と、番組保存部３５とを含んで構成される。
【００３３】
表示部３１は、たとえば液晶ディスプレイ、プラズマディスプレイおよび有機ＥＬディスプレイなどによって実現される。番組受信部３２は、たとえば地上波放送、衛星放送、ケーブルＴＶの有線などによって送信されてくる放送波を受信・デコードする。
【００３４】
通信部３３は、携帯端末装置１０と近距離無線通信によって通信を行うための通信インターフェイスとして機能する。本実施形態では、携帯端末装置１０と映像表示装置３との通信は、前記のように、無線ＬＡＮを利用して行われる。
【００３５】
制御部３４は、レコーダ制御部５３から送信される信号であって、複数の放送チャンネルの中から一の放送チャンネルを選局する
ための選局信号を受信すると、選局された放送チャンネルで放送中のテレビ番組を表示部３１に表示させる。
【００３６】
また、制御部３４は、ユーザにより専用のリモコンを用いて録画指令または録画予約指令が入力されると、録画指令または録画予約指令に係るテレビ番組を録画し、録画したテレビ番組のデータを番組保存部３５に保存する。録画指令または録画予約指令は、一のテレビ番組を指定するものであってもよく、映像表示装置３が各放送チャンネルで放送されている全てのテレビ番組を録画する、いわゆる「全録」機能を有している場合には、全録すべき期間を指定するものであってもよい。
【００３７】
番組保存部３５は、ＨＤＤなどの記憶媒体によって実現され、本実施形態では、表示部３１を構成する表示装置に内蔵される。番組保存部３５としては、ＨＤＤ以外にも、テレビ番組のデータを保存可能な記憶媒体であれば何でもよい。
【００３８】
本実施形態では、携帯端末装置１０から送信され、番組保存部３５に保存されているテレビ番組のリストを要求する録画リスト要求信号を、通信部３３が受信すると、制御部３４は、番組保存部３５に保存されているテレビ番組のリストを示す録画リストデータを作成し、通信部３３に、作成した録画リストデータを、録画リスト要求信号を送信した携帯端末装置１０へ送信させる。録画リストデータには、少なくとも録画番組を一意に識別するための番組識別情報が含まれる。例えば、テレビ放送では、放送局名と放送時間の組により番組を一意に決定できるので、この情報を用いる。
【００３９】
また、本実施形態では、携帯端末装置１０から送信され、番組保存部３５に保存されているテレビ番組のうちの一のテレビ番組を、番組の冒頭からあるいは指定された時刻から再生することを要求する再生要求信号を、通信部３３が受信すると、制御部３４は、再生が要求されているテレビ番組を番組保存部３５から抽出し、抽出したテレビ番組を、再生要求信号に基づいて、番組の冒頭からあるいは指定された時刻から再生させる。これにより、表示部３１には、再生要求されたテレビ番組が、番組の冒頭からあるいは指定された時刻から表示される。
【００４０】
なお、本実施形態に係る映像表示装置３は、表示部３１を構成する表示装置に、番組保存部３５を構成するＨＤＤを内蔵することによって構成されているが、他の実施形態では、表示装置と、表示装置とは別体に設けられる、録画機能を有する録画装置とを、互いに電気的に接続することによって、映像表示装置を構成してもよい。例えば、映像表示装置がＨＤＤレコーダであり、表示部が液晶ディスプレイであって、それらがＨＤＭＩケーブルにより接続されるような形態が考えられる。
【００４１】
次に、サーバ装置２０の構成について説明する。
サーバ装置２０は、通信部４１と、サーバ装置２０全体の制御を行う制御部４２と、番組関連情報保存部４３とを含んで構成される。通信部４１は、通信ネットワーク２を介して、携帯端末装置１０と通信を行うための通信インターフェイスとして機能する。
【００４２】
番組関連情報保存部４３は、本実施形態では、各放送チャンネルで放送されたテレビ番組ごとに、当該番組を一意に識別するための番組識別情報と、当該テレビ番組において紹介された商品、施設（店舗）および場所に関する情報、ならびに当該テレビ番組に登場した人物およびキャラクターに関する情報（以下、これらの情報を総称して「商品情報」と称する）と、商品情報が当該テレビ番組において紹介された時刻あるいは登場した時刻を示す時刻情報とを関連付けて記憶する。テレビ放送では、放送局名と放送時間の組により番組を一意に決定できるので、番組識別情報としてこの情報を用いる。前述の録画リストデータに含まれる番組識別情報も、同様に放送局名と放送時間を元にするので、映像表示装置３とサーバ装置２０において、番組を一意に識別する事ができる。
【００４３】
本実施形態では、携帯端末装置１０から送信され、番組関連情報保存部４３に保存されている商品情報を要求する商品情報要求信号を、通信部４１が受信すると、制御部４２は、商品情報要求信号を解析して、要求されている商品情報および時刻情報を番組関連情報保存部４３から抽出し、通信部４１に、抽出した商品情報および時刻情報を、商品情報要求信号を送信した携帯端末装置１０へ送信させる。
【００４４】
最後に、携帯端末装置１０の構成について説明する。
携帯端末装置１０は、前記のように、表示部１１と、ＵＩ部１２と、制御部１３と、通信部１４とを含んで構成される。また、制御部１３は、前述の記憶装置に記憶される、映像表示装置３を遠隔操作する機能を実現させるためのアプリケーションプログラムを実行することによって、番組関連情報取得部５１と、番組関連情報表示制御部５２と、レコーダ制御部５３と、全体制御部５４と、データ記憶部５５として機能する。
【００４５】
番組関連情報取得部５１は、全体制御部５４からの指令を受けて、携帯端末装置１０による制御対象の映像表示装置３の番組保存部３５に保存されているテレビ番組において紹介された商品情報を要求する商品情報要求信号を生成し、通信部１４に、生成した商品情報要求信号を、サーバ装置２０へ送信させる。
【００４６】
また、番組関連情報取得部５１は、サーバ装置２０へ送信した商品情報要求信号に応答して、該サーバ装置２０から送信される商品情報および時刻情報を、通信部１４を介して取得する。番組関連情報取得部５１は、取得した商品情報および時刻情報を、全体制御部５４へ渡す。
【００４７】
番組関連情報表示制御部５２は、全体制御部５４からの指令を受けて、番組関連情報取得部５１によって取得された商品情報を、予め定める表示態様で、表示部１１に表示させる。
【００４８】
レコーダ制御部５３は、全体制御部５４からの指令を受けて、携帯端末装置１０による制御対象の映像表示装置３に保存されているテレビ番組のリストを要求する録画リスト要求信号を生成し、通信部１４に、生成した録画リスト要求信号を、該映像表示装置３へ送信させる。また、レコーダ制御部５３は、映像表示装置３へ送信した録画リスト要求信号に応答して、該映像表示装置３が送信した録画リストデータを、通信部１４を介して取得する。
【００４９】
さらに、レコーダ制御部５３は、全体制御部５４からの指令を受けて、携帯端末装置１０による制御対象の映像表示装置３に保存されているテレビ番組のうちの一のテレビ番組を、番組の冒頭からあるいは指定された時刻から再生することを要求する再生要求信号を生成し、通信部１４に、生成した再生要求信号を、該映像表示装置３へ送信させる。テレビ番組の識別には、前述の番組識別情報を用いる。
【００５０】
全体制御部５４は、番組関連情報取得部５１、番組関連情報表示制御部５２、レコーダ制御部５３、およびデータ記憶部５５を制御する。また、全体制御部５４には、ＵＩ部１２から、タッチパネル１２ａおよび各操作ボタン１２ｂに対するユーザの操作に対応した指令信号や入力データが入力される。
【００５１】
データ記憶部５５には、番組関連情報取得部５１によって取得された商品情報および時刻情報が格納されるとともに、レコーダ制御部５３によって取得された録画リストデータが格納される。
【００５２】
以下、本実施形態に係る携帯端末装置１０を用いて、映像表示装置３を遠隔操作して、
番組保存部３５に保存されているテレビ番組を再生するときの動作について説明する。
【００５３】
図４は、本実施形態に係る携帯端末装置１０を用いて映像表示装置３を遠隔操作する際の、表示部１１に表示される画面の遷移の一実施例を示す図である。図４（ａ）は、携帯端末装置１０のホーム画面Ｄ１を示す図である。
【００５４】
ホーム画面Ｄ１には、映像表示装置３を遠隔操作する機能を実現させるためのアプリケーションプログラムを実行するためのアイコンＩ１が、他のアプリケーションプログラムを実行させるためのアイコンＩ２とともに表示される。このホーム画面Ｄ１において、ユーザにより、アイコンＩ１がタップされると、映像表示装置３を遠隔操作する機能を実現させるためのアプリケーションが起動する。
【００５５】
図４（ｂ）は、映像表示装置３を遠隔操作する機能を実現させるためのアプリケーション（以下、「遠隔操作アプリケーション」と称する）の起動後に表示されるサーバリスト画面Ｄ２を示す図である。遠隔操作アプリケーションが起動されると、全体制御部５４は、通信部１４を介して、遠隔操作可能な映像表示装置３のリストを示すサーバリストデータを作成する。たとえば、家屋内で遠隔操作アプリケーションが起動された場合、その家屋内に無線ＬＡＮを利用して遠隔操作可能な映像表示装置３が３台存在する場合には、３台の映像表示装置３がリストアップされる。
【００５６】
全体制御部５４は、遠隔操作可能な映像表示装置３のリストを示すサーバリストデータを作成すると、そのサーバリストデータをデータ記憶部５５に格納するとともに、そのサーバリストデータに基づいて、サーバリスト画面Ｄ２を表示部１１に表示させるための指令を、番組関連情報表示制御部５２に与える。番組関連情報表示制御部５２は、当該指令を受け取ると、サーバリスト画面Ｄ２を表示部１１に表示させる。
【００５７】
サーバリスト画面Ｄ２には、遠隔操作可能な映像表示装置３ごとに、当該映像表示装置３を特定するための名称またはＩＤが記述されたサーバ選択ボタンＢ１が表示される。なお、サーバリスト画面Ｄ２では、遠隔操作可能な映像表示装置３の個数が多くなり、その全てのサーバ選択ボタンＢ１を１つの画面内に表示することができない場合には、画面の上下方向にスクロールさせることが可能なスクロール領域が設けられる。
【００５８】
図４（ｃ）は、サーバリスト画面Ｄ２において、任意のサーバ選択ボタンＢ１がタップされた後に表示される録画リスト画面Ｄ３を示す図である。図４（ｂ）に示すサーバリスト画面Ｄ２において、ユーザにより任意のサーバ選択ボタンＢ１がタップされると、全体制御部５４は、タップされたサーバ選択ボタンＢ１に対応する映像表示装置３を特定するための遠隔操作対象装置情報をデータ記憶部５５に格納するとともに、タップされたサーバ選択ボタンＢ１に対応する映像表示装置３から、その映像表示装置３に保存されているテレビ番組のリストを取得させるための指令を、レコーダ制御部５３に与える。
【００５９】
レコーダ制御部５３は、当該指令を受け取ると、録画リスト要求信号を生成して通信部１４に送信させ、通信部１４を介して録画リストデータを取得すると、取得した録画リストデータを、全体制御部５４に与える。
【００６０】
全体制御部５４は、レコーダ制御部５３から与えられた録画リストデータをデータ記憶部５５に格納するとともに、該録画リストデータに基づいて、録画リスト画面Ｄ３を表示部１１に表示させるための指令を、番組関連情報表示制御部５２に与える。番組関連情報表示制御部５２は、当該指令を受け取ると、録画リスト画面Ｄ３を表示部１１に表示させる。
【００６１】
本実施形態では、録画リストデータには、映像表示装置３に保存されているテレビ番組ごとに、番組識別情報と、当該テレビ番組の番組タイトル、当該テレビ番組を放送した放送局名、および当該テレビ番組の録画が開始された録画開始日時を示す情報が格納されている。
【００６２】
録画リスト画面Ｄ３には、映像表示装置３に保存されているテレビ番組ごとに、番組タイトル、放送局名および録画開始日時が記述された、選択可能な番組選択ボタンＢ２が表示される。このとき、映像表示装置３に保存されているテレビ番組が複数ある場合には、たとえば図４（ｃ）に示すように、録画開始日時が最近のものから順に表示される。
【００６３】
なお、図４（ｃ）に示すように、録画リスト画面Ｄ３においても同様に、選択可能な番組選択ボタンＢ２の個数が多くなり、その全ての番組選択ボタンＢ２を１つの画面内に表示することができない場合には、画面の上下方向にスクロールさせることができるスクロール領域Ｓｃが設定される。
【００６４】
また、録画リスト画面Ｄ３には、前段に表示される画面へ戻るための戻るボタンＢ３が画面の上部に表示され、ユーザによってこの戻るボタンＢ３がタップされると、全体制御部５４は、データ記憶部５５に格納されるサーバリストデータに基づいて、図４（ｂ）に示すサーバリスト画面Ｄ２を表示部１１に表示させるための指令を、番組関連情報表示制御部５２に与える。
【００６５】
図４（ｄ）は、録画リスト画面Ｄ３において、任意の番組選択ボタンＢ２がタップされた後に表示される商品リスト画面Ｄ４を示す図である。図４（ｃ）に示す録画リスト画面Ｄ３において、ユーザにより任意の番組選択ボタンＢ２がタップされると、全体制御部５４は、当該番組選択ボタンＢ２に対応するテレビ番組に関する商品情報を取得させるための指令を、番組関連情報取得部５１に与える。
【００６６】
番組関連情報取得部５１は、当該指令を受け取ると、当該番組選択ボタンＢ２に対応するテレビ番組に関する商品情報を要求する商品情報要求信号を生成して通信部１４に送信させる。この信号には、少なくとも番組識別情報が含まれる。サーバ装置２０では、番組識別情報により識別される番組について、商品情報および時刻情報を返送する。通信部１４はサーバ装置２０から商品情報および時刻情報を取得すると、取得した商品情報および時刻情報を、全体制御部５４に与える。
【００６７】
全体制御部５４は、レコーダ制御部５３から与えられた商品情報および時刻情報をデータ記憶部５５に格納するとともに、商品情報および時刻情報に基づいて、商品リスト画面Ｄ４を表示部１１に表示させるための指令を、番組関連情報表示制御部５２に与える。番組関連情報表示制御部５２は、当該指令を受け取ると、商品リスト画面Ｄ４を表示部１１に表示させる。
【００６８】
本実施形態では、商品情報には、商品、施設（店舗）、場所、人物またはキャラクター（以下、「商品等」と称する）を描画した画像データと、商品等の名称を示す情報とが含まれている。また、時刻情報には、当該時刻情報に関連付けられている商品情報の商品等が、そのテレビ番組において紹介された時刻または登場した時刻が記述されている。
【００６９】
商品リスト画面Ｄ４には、録画リスト画面Ｄ３においてユーザにより選択された番組選択ボタンＢ２に記述されていた番組タイトル、放送局名および録画開始日時が表示されるとともに、当該テレビ番組を映像表示装置３において冒頭から再生させるための冒頭再生ボタンＢ４が表示される。
【００７０】
さらに、商品リスト画面Ｄ４には、サーバ装置２０から取得された商品情報ごとに、その商品等の画像、その商品等の名称、およびその商品等が紹介された時刻または登場した時刻とともに、当該テレビ番組を映像表示装置３において、その商品等が紹介された時刻または登場した時刻から再生させるためのハイライト再生ボタンＢ５が表示される。このとき、当該テレビ番組に関する商品情報が複数ある場合には、図４（ｄ）に示すように、紹介された時刻または登場した時刻が最先のものから順に表示される。
【００７１】
また、商品リスト画面Ｄ４には、録画リスト画面Ｄ３と同様に、前段に表示される画面へ戻るための戻るボタンＢ３が画面の上部に表示され、ユーザによってこの戻るボタンＢ３がタップされると、全体制御部５４は、データ記憶部５５に格納される商品情報および時刻情報に基づいて、図４（ｃ）に示す録画リスト画面Ｄ３を表示部１１に表示させるための指令を、番組関連情報表示制御部５２に与える。
【００７２】
なお、図４（ｄ）に示すように、商品リスト画面Ｄ４においても同様に、サーバ装置２０から取得された商品情報の個数が多くなり、その全ての商品情報を１つの画面内に表示することができない場合には、画面の上下方向にスクロールさせることができるスクロール領域Ｓｃが設定される。
【００７３】
図４（ｄ）に示す商品リスト画面Ｄ４において、ユーザにより冒頭再生ボタンＢ４がタップされると、全体制御部５４は、商品リスト画面Ｄ４に表示されているテレビ番組を番組の冒頭から再生させるための指令を、レコーダ制御部５３に与える。
【００７４】
レコーダ制御部５３は、当該指令を受け取ると、当該テレビ番組を番組の冒頭から再生させるための再生要求信号を生成して通信部１４に送信させる。映像表示装置３では、当該再生要求信号を通信部３３が受信すると、制御部３４は、再生が要求されているテレビ番組を番組保存部３５から抽出し、抽出したテレビ番組を、再生要求信号に基づいて、番組の冒頭から再生させる。これにより、表示部３１には、再生要求されたテレビ番組が、番組の冒頭から表示される。
【００７５】
また、商品リスト画面Ｄ４において、ユーザにより任意のハイライト再生ボタンＢ５がタップされると、全体制御部５４は、商品リスト画面Ｄ４に表示されているテレビ番組を、タップされたハイライト再生ボタンＢ５に対応して記載される時刻に対応する場面、換言すればハイライト再生ボタンＢ５に対応して記載される商品等が登場する場面から再生させるための指令を、レコーダ制御部５３に与える。
【００７６】
レコーダ制御部５３は、当該指令を受け取ると、当該テレビ番組をその場面から再生させるための再生要求信号を生成して通信部１４に送信させる。映像表示装置３では、当該再生要求信号を通信部３３が受信すると、制御部３４は、再生が要求されているテレビ番組を番組保存部３５から抽出し、抽出したテレビ番組を、再生要求信号に基づいて、その場面から再生させる。これにより、表示部３１には、再生要求されたテレビ番組が、ユーザによって選択された商品等が登場する場面から表示される。
【００７７】
なお、サーバリスト画面Ｄ２は、遠隔操作アプリケーションが最初に起動されたときのみ表示し、遠隔操作アプリケーションが２回目以降に起動された場合、詳細には、データ記憶部５５に前記遠隔操作対象装置情報が格納されている場合には省略してもよい。
【００７８】
この場合には、録画リスト画面Ｄ３には、データ記憶部５５に格納されている遠隔操作対象装置情報に対応する映像表示装置３に保存されているテレビ番組のリストが表示される。また、この場合、録画リスト画面Ｄ３において戻るボタンＢ３がタップされると、全体制御部５４は、通信部１４を介して、遠隔操作可能な映像表示装置３のリストを示すリ
ストデータを作成し、そのリストデータに基づいて、番組関連情報表示制御部５２により、サーバリスト画面Ｄ２が表示部１１に表示される。
【００７９】
なお、遠隔操作アプリケーションの起動中の画面、すなわちサーバリスト画面Ｄ２、録画リスト画面Ｄ３または商品リスト画面Ｄ４が表示されているときに、操作ボタン１２ｂに含まれるホームボタンがユーザによって押下されると、遠隔操作アプリケーションは終了され、表示部１１にはホーム画面Ｄ１が表示される。
【００８０】
以上のように、本実施形態によれば、ユーザは、携帯端末装置１０の表示部１１に表示される商品リスト画面Ｄ４を確認することにより、各ハイライトシーンの内容を把握した上で、所望のハイライトシーンを選択して、そのハイライトシーンを映像表示装置３に表示させることができる。したがって、ユーザにとって、利便性を向上することができる。
【００８１】
なお、上記の実施形態では、商品リスト画面Ｄ４において、ユーザにより冒頭再生ボタンＢ４がタップされると、商品リスト画面Ｄ４に表示されているテレビ番組を番組の冒頭から再生させるための指令が、全体制御部５４からレコーダ制御部５３に与えられるように構成されているが、他の実施形態では、録画リスト画面Ｄ３において、ユーザにより任意の番組選択ボタンＢ２がタップされると、商品リスト画面Ｄ４を表示すると共に、当該番組選択ボタンＢ２に対応するテレビ番組を番組の冒頭から再生させるための指令が、全体制御部５４からレコーダ制御部５３に与えられるように構成されてもよい。これにより、商品リスト画面Ｄ４で冒頭再生ボタンＢ４を押さなくても、番組が冒頭から再生されるので、ユーザの操作手順を減らす事ができ、利便性が向上する。
【００８２】
また、上記の実施形態では、録画リスト画面Ｄ３において、ユーザにより任意の番組選択ボタンＢ２がタップされた後に、当該番組選択ボタンＢ２に対応するテレビ番組に関する商品情報および時刻情報が、番組関連情報取得部５１によって取得されるように構成されているが、他の実施形態では、録画リストデータが取得された段階で、全体制御部５４が、録画リストデータにリストアップされている、換言すれば映像表示装置３に保存されている全てのテレビ番組に関する商品情報を取得させるための指令を、番組関連情報取得部５１に与えるように構成されてもよい。
【００８３】
この場合には、番組関連情報取得部５１によって全てのテレビ番組に関する商品情報および時刻情報が取得されると、全体制御部５４は、レコーダ制御部５３から与えられた全てのテレビ番組に関する商品情報および時刻情報をデータ記憶部５５に格納する。そして、録画リスト画面Ｄ３において、ユーザにより任意の番組選択ボタンＢ２がタップされると、全体制御部５４は、当該番組選択ボタンＢ２に対応するテレビ番組に関する商品情報および時刻情報をデータ記憶部５５から抽出して、抽出した商品情報および時刻情報に基づいて、商品リスト画面Ｄ４を表示部１１に表示させるための指令を、番組関連情報表示制御部５２に与える。これにより、番組リスト画面Ｄ３で番組選択ボタンＢ２をタップしてから、商品リスト画面Ｄ４を表示するまでの時間を短縮でき、利便性が向上する。
【００８４】
また、他の実施形態では、データ記憶部５５に、ユーザがアカウントを登録しているショッピングサイトにログインするためのログイン情報を記憶しておき、番組関連情報取得部５１が、サーバ装置２０に商品情報を要求する際に、データ記憶部５５に記憶されるログイン情報に基づいて前記ショッピングサイトのサーバ装置から、商品の購入履歴などのユーザ情報を取得し、取得したユーザ情報に基づいて、そのユーザの好みに応じた商品情報だけを要求するようにしてもよい。なお、ショッピングサイトのサーバ装置がサーバ装置２０と同じサーバでもよい。この場合、番組関連情報取得部５１が商品情報を要求すると、ユーザの好みに応じた商品情報だけをサーバ装置２０が返すことになる。
【００８５】
図５は、他の実施例に係る商品リスト画面Ｄ５を示す図である。図４（ｄ）に示す商品リスト画面Ｄ４では、録画リスト画面Ｄ３においてユーザにより選択されたテレビ番組に関する商品情報および時刻情報のみが表示されていたが、図５に示す商品リスト画面Ｄ５のように、録画リストデータにリストアップされているテレビ番組ごとに、録画リスト画面Ｄ３に表示されるテレビ番組の順番に従って、番組タイトル、放送局名、録画開始日時および冒頭再生ボタンＢ４とともに、商品情報および時刻情報を表示してもよい。
【００８６】
図５に示す商品リスト画面Ｄ５においても同様に、全てのテレビ番組に関する商品情報および時刻情報を１つの画面内に表示することができない場合には、画面の上下方向にスクロールさせることができるスクロール領域Ｓｃが設定される。
【００８７】
なお、この場合には、録画リスト画面Ｄ３においてユーザにより任意の番組選択ボタンＢ２がタップされると、商品リスト画面Ｄ４には、当該番組選択ボタンＢ２に対応するテレビ番組に関する商品情報および時刻情報が表示される。そこから上にスクロールすると、当該番組選択ボタンＢ２に対応するテレビ番組より前に放送された番組の商品情報及び時刻情報が順番に表示され、下にスクロールすると、当該番組選択ボタンＢ２に対応するテレビ番組より後に放送された番組の商品情報及び時刻情報が順番に表示される。
【００８８】
図６は、本実施形態に係る携帯端末装置１０を用いて映像表示装置３を遠隔操作する際の、表示部１１に表示される画面の遷移の他の実施例を示す図である。図６（ａ）、図６（ｂ）は、図４（ａ）、図４（ｂ）とそれぞれ同一であるので説明を省略する。
【００８９】
図６に示す実施例は、遠隔操作アプリケーションが実行された時点で、図６（ｂ）に示すサーバリスト画面Ｄ２においてユーザによりタップされたサーバ選択ボタンＢ１に対応する映像表示装置３において、視聴可能な各放送チャンネルで放送されている全てのテレビ番組が全録されている場合の実施例である。
【００９０】
図６（ｃ）は、サーバリスト画面Ｄ２において、全録を実行中の映像表示装置３に対応したサーバ選択ボタンＢ１がタップされた後に表示される放送局リスト画面Ｄ６を示す図である。
【００９１】
図６（ｂ）に示すサーバリスト画面Ｄ２において、ユーザにより全録を実行中の映像表示装置３に対応したサーバ選択ボタンＢ１がタップされると、全体制御部５４は、タップされたサーバ選択ボタンＢ１に対応する映像表示装置３を特定するための遠隔操作対象装置情報をデータ記憶部５５に格納するとともに、タップされたサーバ選択ボタンＢ１に対応する映像表示装置３から、その映像表示装置３に保存されているテレビ番組および保存中のテレビ番組のリストを取得させるための指令を、レコーダ制御部５３に与える。
【００９２】
レコーダ制御部５３は、当該指令を受け取ると、録画リスト要求信号を生成して通信部１４に送信させ、通信部１４を介して録画リストデータを取得すると、取得した録画リストデータを、全体制御部５４に与える。
【００９３】
全体制御部５４は、レコーダ制御部５３から与えられた録画リストデータをデータ記憶部５５に格納するとともに、該録画リストデータに基づいて、放送局リスト画面Ｄ６を表示部１１に表示させるための指令を、番組関連情報表示制御部５２に与える。番組関連情報表示制御部５２は、当該指令を受け取ると、放送局リスト画面Ｄ６を表示部１１に表示させる。
【００９４】
放送局リスト画面Ｄ６には、視聴可能な放送局ごとに、放送局名および現在放送中のテレビ番組の番組タイトルが記述された、選択可能な放送局選択ボタンＢ６が表示される。
なお、図６（ｃ）に示す放送局リスト画面Ｄ６においても同様に、選択可能な放送局選択ボタンＢ６の個数が多くなり、その全ての放送局選択ボタンＢ６を１つの画面内に表示することができない場合には、画面の上下方向にスクロールさせることができるスクロール領域Ｓｃが設定される。
【００９５】
図６（ｄ）は、放送局リスト画面Ｄ６において、任意の放送局選択ボタンＢ６がタップされた後に表示される商品リスト画面Ｄ７を示す図である。図６（ｃ）に示す放送局リスト画面Ｄ６において、ユーザにより任意の放送局選択ボタンＢ６がタップされると、全体制御部５４は、録画リストデータにリストアップされているテレビ番組のうち、当該放送局選択ボタンＢ６に対応する放送局で放送されたテレビ番組および放送中のテレビ番組に関する商品情報を取得させるための指令を、番組関連情報取得部５１に与える。
【００９６】
番組関連情報取得部５１は、当該指令を受け取ると、当該放送局選択ボタンＢ６に対応する放送局で放送されたテレビ番組および放送中のテレビ番組に関する商品情報を要求する商品情報要求信号を生成して通信部１４に送信させ、サーバ装置２０から商品情報および時刻情報を取得すると、取得した商品情報および時刻情報を、全体制御部５４に与える。
【００９７】
全体制御部５４は、レコーダ制御部５３から与えられた商品情報および時刻情報をデータ記憶部５５に格納するとともに、商品情報および時刻情報に基づいて、商品リスト画面Ｄ７を表示部１１に表示させるための指令を、番組関連情報表示制御部５２に与える。番組関連情報表示制御部５２は、当該指令を受け取ると、商品リスト画面Ｄ７を表示部１１に表示させる。
【００９８】
商品リスト画面Ｄ７には、当該放送局選択ボタンＢ６に対応する放送局で放送されたテレビ番組および放送中のテレビ番組ごとに、録画開始日時が最近のものから順に、番組タイトル、録画開始・終了日時および冒頭再生ボタンＢ４とともに、サーバ装置２０から取得された商品情報、時刻情報およびハイライト再生ボタンＢ５が表示される。
【００９９】
なお、図６（ｄ）に示す商品リスト画面Ｄ７において、画面の左右方向にフリックすると、放送局リスト画面Ｄ６に表示される放送局の順に従って、表示される放送局が切り替わるように構成されてもよい。例えば、商品リスト画面Ｄ７で表示されているのがＢ放送局の場合、右から左になぞると次の放送局Ｃに切り替え、反対方向になぞると前の放送局Ａに切り替える。
【０１００】
図７は、本実施形態に係る携帯端末装置１０を用いて映像表示装置３を遠隔操作する際の、表示部１１に表示される画面の遷移のさらに他の実施例を示す図である。図７（ａ）、図７（ｂ）は、図４（ａ）、図４（ｂ）とそれぞれ同一であるので説明を省略する。
【０１０１】
図７に示す実施例も、図６に示す実施例と同様に、遠隔操作アプリケーションが実行された時点で、図７（ｂ）に示すサーバリスト画面Ｄ２においてユーザによりタップされたサーバ選択ボタンＢ１に対応する映像表示装置３において、視聴可能な各放送チャンネルで放送されている全てのテレビ番組が全録されている場合の実施例である。
【０１０２】
図７（ｃ）は、サーバリスト画面Ｄ２において、全録を実行中の映像表示装置３に対応したサーバ選択ボタンＢ１がタップされた後に表示される商品リスト画面Ｄ８を示す図である。
【０１０３】
図７（ｂ）に示すサーバリスト画面Ｄ２において、ユーザにより全録を実行中の映像表示装置３に対応したサーバ選択ボタンＢ１がタップされると、全体制御部５４は、タップ
されたサーバ選択ボタンＢ１に対応する映像表示装置３を特定するための遠隔操作対象装置情報をデータ記憶部５５に格納するとともに、タップされたサーバ選択ボタンＢ１に対応する映像表示装置３から、その映像表示装置３に保存されているテレビ番組および保存中のテレビ番組のリストを取得させるための指令を、レコーダ制御部５３に与える。
【０１０４】
レコーダ制御部５３は、当該指令を受け取ると、録画リスト要求信号を生成して通信部１４に送信させ、通信部１４を介して録画リストデータを取得すると、取得した録画リストデータを、全体制御部５４に与える。
【０１０５】
全体制御部５４が、レコーダ制御部５３から与えられた録画リストデータをデータ記憶部５５に格納するとともに、録画リストデータにリストアップされている、換言すれば映像表示装置３に保存されている全てのテレビ番組に関する商品情報を取得させるための指令を、番組関連情報取得部５１に与える。
【０１０６】
番組関連情報取得部５１によって全てのテレビ番組に関する商品情報および時刻情報が取得されると、全体制御部５４は、レコーダ制御部５３から与えられた全てのテレビ番組に関する商品情報および時刻情報をデータ記憶部５５に格納する。
【０１０７】
そして、全体制御部５４は、データ記憶部５５に格納された録画リストデータ、商品情報および時刻情報に基づいて、商品リスト画面Ｄ８を表示部１１に表示させるための指令を、番組関連情報表示制御部５２に与える。番組関連情報表示制御部５２は、当該指令を受け取ると、商品リスト画面Ｄ８を表示部１１に表示させる。
【０１０８】
商品リスト画面Ｄ８には、画面の左右方向に沿って視聴可能な放送局を示し、画面の上下方向に沿って時間の流れを示した番組表の形式によって、録画リストデータにリストアップされたテレビ番組ごとに、番組タイトルおよび冒頭再生ボタンＢ４とともに、サーバ装置２０から取得された商品情報、時刻情報およびハイライト再生ボタンＢ５が表示される。なお、図７（ｃ）に示す商品リスト画面Ｄ８では、番組表の全体を１つの画面で表示することができないので、画面の上下方向および左右方向にスクロールさせることができるスクロール領域Ｓｃが設定される。
【０１０９】
また、１つのテレビ番組について、サーバ装置２０から取得された商品情報の個数が多い場合には、図７（ｃ）に示すように、当該テレビ番組に関する全ての商品情報および時刻情報ならびに、冒頭再生ボタンＢ４およびハイライト再生ボタンＢ５を表示する別画面に遷移するためのもっと見るボタンＢ７が、当該テレビ番組に対応付けて表示されてもよい。もっと見るボタンＢ７がタップされると、商品リスト画面Ｄ４または、商品リスト画面Ｄ５または、商品リスト画面Ｄ７と同様の画面が表示される。
【０１１０】
図８は、他の実施例に係る商品リスト画面Ｄ９を示す図である。本実施例における商品リスト画面Ｄ９は、図６（ｄ）に示す商品リスト画面Ｄ７に類似するため、同一の構成については同一の参照符を付して説明を省略する。
【０１１１】
図８に示す商品リスト画面Ｄ９では、サーバ装置２０から取得された商品情報が、その商品情報に関連付けられた時刻情報に基づいて、その商品情報が紹介されたテレビ番組の放送時間を示す時間軸Ｊに対応付けて表示される。
【０１１２】
商品リスト画面Ｄ９に表示された時間軸Ｊは、その時間軸Ｊ上の任意の位置をタップすることにより、任意の時刻に対応する場面を選択可能とされている。この商品リスト画面Ｄ９において、ユーザにより時間軸Ｊ上の任意の位置がタップされると、全体制御部５４は、その時間軸Ｊに対応するテレビ番組を、タップされた時刻に対応する場面から再生さ
せるための指令を、レコーダ制御部５３に与える。
【０１１３】
レコーダ制御部５３は、当該指令を受け取ると、前記タップされた時刻に対応する場面から再生させるための再生要求信号を生成して通信部１４に送信させる。映像表示装置３では、当該再生要求信号を通信部３３が受信すると、制御部３４は、再生が要求されているテレビ番組を番組保存部３５から抽出し、抽出したテレビ番組を、再生要求信号に基づいて、タップされた時刻に対応する場面から再生させる。これにより、表示部３１には、再生要求されたテレビ番組が、タップされた時刻に対応する場面から表示される。
【０１１４】
以上のように、ユーザは、商品等が登場した場面からだけではなく、任意の場面から再生させることもできる。たとえば、ある商品が登場した少し前の時間から再生させて、商品が登場した番組の流れを知ることができる。これにより、ユーザにとって、さらに利便性が向上される。
【０１１５】
図９は、さらに他の実施例に係る商品リスト画面Ｄ１０を示す図である。本実施例における商品リスト画面Ｄ１０は、図８に示す商品リスト画面Ｄ９に類似するため、同一の構成については同一の参照符を付して説明を省略する。
【０１１６】
図９に示す商品リスト画面Ｄ１０では、サーバ装置２０から取得された商品情報が、その商品情報に関連付けられた時刻情報に基づいて、その商品情報が紹介されたテレビ番組の放送時間を示す時間軸Ｊに対応付けて表示されるとともに、当該テレビ番組の放送時間を予め定める時間間隔（図９に示す例では、２分）で分割した各分割時間における、当該テレビ番組に対する盛上りの度合を示す盛上り情報Ｋが、棒グラフの形式で時間軸Ｊに対応付けて表示される。
【０１１７】
本実施例では、前記盛上りの度合は、各分割時間において投稿された当該テレビ番組に関する、たとえばＴｗｉｔｔｅｒ（登録商標）などのミニブログの投稿数から算出される値である。このような盛上り情報Ｋは、サーバ装置２０あるいはサーバ装置２０とは異なるサーバ装置において作成されて記憶され、全体制御部５４からの指令によって、番組関連情報取得部５１により、通信部１４を介して、当該サーバ装置から取得される。
【０１１８】
サーバ装置から取得された盛上り情報Ｋは、全体制御部５４に与えられ、全体制御部５４は、この盛上り情報Ｋ、ならびにサーバ装置２０から取得された商品情報および時刻情報に基づいて、商品リスト画面Ｄ１０を表示部１１に表示させるための指令を、番組関連情報表示制御部５２に与える。番組関連情報表示制御部５２は、当該指令を受け取ると、商品リスト画面Ｄ１０を表示部１１に表示させる。
【０１１９】
このように、本実施例によれば、ユーザは、商品等が登場した場面からだけではなく、盛上りの状況を確認しながら任意の場面から再生させることもできる。例えば、商品リスト画面Ｄ１０では商品名が「ＤＥＦ」の商品が登場したのは２０：２３であるが、グラフを見ると、２０：１８頃から盛り上がっている事がわかり、その時間付近から再生すれば、商品に関連する一連のシーンを視聴できる事が予想できる。これにより、ユーザにとって、さらに利便性が向上される。
【０１２０】
図１０は、さらに他の実施例に係るミニブログリスト画面Ｄ１１を示す図である。本実施例におけるミニブログリスト画面Ｄ１１は、図６（ｄ）に示す商品リスト画面Ｄ７に類似するため、同一の構成については同一の参照符を付して説明を省略する。
【０１２１】
本実施例では、サーバ装置２０には、各テレビ番組において紹介された商品情報に替えて、各放送チャンネルで放送されたテレビ番組ごとに、当該テレビ番組に関する、たとえばＴｗｉｔｔｅｒなどのミニブログにおける投稿メッセ―ジを示すミニブログ情報が、そのメッセージが投稿された時刻を示す時刻情報に関連付けて記憶されており、遠隔操作アプリケーションの実行中に、商品情報に替えて、ミニブログ情報を取得させるための指令が全体制御部５４から番組関連情報取得部５１に与えられると、番組関連情報取得部５１は、通信部１４を介して、サーバ装置２０から、予め定める投稿者、たとえば携帯端末装置１０を使用しているユーザがミニブログにおいて友人関係となっている他のユーザ（Ｔｗｉｔｔｅｒにおけるフォロワーなど）によって投稿されたミニブログ情報および時刻情報を取得する。
【０１２２】
全体制御部５４は、番組関連情報取得部５１からミニブログ情報および時刻情報が与えられると、そのミニブログ情報および時刻情報に基づいて、ミニブログリスト画面Ｄ１１を表示部１１に表示させるための指令を、番組関連情報表示制御部５２に与える。番組関連情報表示制御部５２は、当該指令を受け取ると、ミニブログリスト画面Ｄ１１を表示部１１に表示させる。
【０１２３】
したがって、ユーザは、携帯端末装置１０の表示部１１に表示されるミニブログリスト画面Ｄ１１において、ユーザの友人などが番組内でどのタイミングでメッセージを投稿したかを確認できる。友人がメッセージを投稿したシーンはユーザにとっても興味のあるシーンである可能性が高いため、ハイライトシーンとして抽出する価値がある。また、投稿されたメッセージの内容を確認することができるので、そのシーンの内容を把握できるので、自分にとって興味のあるシーンかどうかを判断した上で、ハイライトシーンを選択して、そのハイライトシーンを映像表示装置３に表示させることができる。したがって、ユーザにとって、利便性を向上することができる。
【０１２４】
図１１は、さらに他の実施例に係るミニブログリスト画面Ｄ１２を示す図である。本実施例におけるミニブログリスト画面Ｄ１２は、ミニブログ情報が時間軸Ｊに対応付けて表示されている点を除き、図１０に示すミニブログリスト画面Ｄ１１と同様である。
【０１２５】
本実施例においても、図８に示す実施例と同様に、ミニブログリスト画面Ｄ１２に表示された時間軸Ｊは、その時間軸Ｊ上の任意の位置をタップすることにより、任意の時刻に対応する場面を選択可能とされている。したがって、ユーザは、友人などによってミニブログが投稿された場面からだけではなく、任意の場面から再生させることもできる。たとえば、あるメッセージが投稿された少し前の時間から再生させて、メッセージが投稿された番組の流れを知ることができる。これにより、ユーザにとって、さらに利便性が向上される。
【０１２６】
図１２は、さらに他の実施例に係るミニブログリスト画面Ｄ１３を示す図である。本実施例における商品リスト画面Ｄ１３は、盛上り情報Ｋが時間軸Ｊに対応付けて表示されている点を除き、図１１に示すミニブログリスト画面Ｄ１２と同様である。本実施例によれば、ユーザは、友人などによってミニブログが投稿された場面からだけではなく、盛上りの状況を確認しながら任意の場面から再生させることもできる。例えば、ミニブログリスト画面Ｄ１３ではＡさんのメッセージが投稿されたのは２０：０８であるが、グラフを見ると、２０：０２頃から盛り上がっている事がわかり、その時間付近から再生すれば、メッセージに関連する一連のシーンを視聴できる事が予想できる。これにより、ユーザにとって、さらに利便性が向上される。
【符号の説明】
【０１２７】
１  情報通信システム
３  映像表示装置
１０  携帯端末装置
１１  表示部
１２  ＵＩ部
１３  制御部
１４  通信部
２０  サーバ装置
３１  表示部
３２  番組受信部
３３  通信部
３４  制御部
３５  番組保存部
４１  通信部
４２  制御部
４３  番組関連情報保存部
５１  番組関連情報取得部
５２  番組関連情報表示制御部
５３  レコーダ制御部
５４  全体制御部
５５  データ記憶部
【図１】
2014027635.tif 000003
【図２】
2014027635.tif 000004
【図３】
2014027635.tif 000005
【図４】
2014027635.tif 000006
【図５】
2014027635.tif 000007
【図６】
2014027635.tif 000008
【図７】
2014027635.tif 000009
【図８】
2014027635.tif 000010
【図９】
2014027635.tif 000011
【図１０】
2014027635.tif 000012
【図１１】
2014027635.tif 000013
【図１２】
2014027635.tif 000014